(57)【要約】【課題】搬送経路に沿って搬送される原稿の一方の面の画像を読み取ってその画像に対応するアナログの読取信号を出力する第１画像読取部と、上記搬送経路に沿って搬送される上記原稿の他方の面の画像を読み取ってその画像に対応するアナログの読取信号を出力する第２画像読取部とを備えた画像読取装置において、各画像読取部からの読取信号をＡ／Ｄ変換するアナログフロントエンド部をバランスよく使用して、読取信号のＡ／Ｄ変換速度を向上させる。【解決手段】３チャンネルの表面用ＣＩＳ２３０（第１画像読取部）からの読取信号ＡＯ１＿ＦＳ，ＡＯ２＿ＦＳは第１ＡＦＥ３８０の端子ＡＩ１＿１，ＡＩ１＿２に、表面用ＣＩＳ２３０からの読取信号ＡＯ３＿ＦＳは第２ＡＦＥ３９０の端子ＡＩ２＿１に、１チャンネルの裏面用ＣＩＳ２１０（第２画像読取部）からの読取信号ＡＯ＿ＢＳは第２ＡＦＥ３９０の端子ＡＩ２＿２に、それぞれ入力される。【選択図】図２
2011217017.tif 000002
【特許請求の範囲】
【請求項１】
３つ以上のチャンネルに対応付けられた複数の受光素子を備え、搬送経路に沿って搬送される原稿の一方の面の画像を上記各受光素子を介して読み取ってその受光素子が順次出力するアナログの読取信号を上記チャンネル毎に出力する第１画像読取部と、
上記第１画像読取部のチャンネル数よりも２つ以上少ないチャンネルに対応付けられた複数の受光素子を備え、上記搬送経路に沿って搬送される原稿の他方の面の画像を上記各受光素子を介して読み取ってその受光素子が順次出力するアナログの読取信号を上記チャンネル毎に出力する第２画像読取部と、
上記各画像読取部から出力された上記読取信号のうち、上記各画像読取部のチャンネル数の平均値若しくはその平均値の端数を切り上げた数のチャンネルからの上記読取信号をＡ／Ｄ変換する第１アナログフロントエンド部と、
上記各画像読取部から出力された上記読取信号のうち、上記第１アナログフロントエンド部がＡ／Ｄ変換する残りのチャンネルからの上記読取信号をＡ／Ｄ変換する第２アナログフロントエンド部と、
を備えたことを特徴とする画像読取装置。
【請求項２】
１つの上記受光素子から出力される上記読取信号を上記第１アナログフロントエンド部がＡ／Ｄ変換するのに要する時間に、その第１アナログフロントエンド部に入力される上記読取信号のチャンネル数をかけた時間を１画素周期とし、
上記各アナログフロントエンド部は、上記１画素周期の間に、各々に入力される各チャンネルの上記読取信号をＡ／Ｄ変換することを特徴とする請求項１記載の画像読取装置。
【請求項３】
上記原稿の他方の面の画像のみを読み取る片面読取モードが設定可能で、
当該片面読取モードの設定時には、上記第１アナログフロントエンド部は、上記第１画像読取部から出力された上記読取信号のうち、上記各画像読取部のチャンネル数の平均値若しくはその平均値の端数を切り上げた数のチャンネルからの上記読取信号をＡ／Ｄ変換し、
上記第２アナログフロントエンド部は、上記第１画像読取部から出力された上記読取信号のうち、上記第１アナログフロントエンド部がＡ／Ｄ変換する残りのチャンネルからの上記読取信号をＡ／Ｄ変換することを特徴とする請求項１または２記載の画像読取装置。
【請求項４】
更に、
原稿が載置される透明な原稿台と、
上記原稿台の表面に開閉可能に設けられ、上記原稿台の表面に閉じられることによって上記原稿台に載置された原稿を覆う原稿カバーと、
を備え、
上記第２画像読取部は、上記原稿カバーに設けられ、
上記第１画像読取部は、上記原稿台が固定された基体に設けられ、かつ、上記搬送経路に沿って搬送される上記原稿の上記一方の面の画像を上記基体内で静止しながら読み取る読取動作と、上記原稿台に載置された原稿の片面の画像を上記原稿台に沿って副走査方向に移動しながら読み取る読取動作とを実行可能に構成されたことを特徴とする請求項１〜３のいずれか１項に記載の画像読取装置。
【請求項５】
上記第１画像読取部のチャンネル数は３で、
上記第２画像読取部のチャンネル数は１で、
上記各アナログフロントエンド部はそれぞれ２つのチャンネルからの上記読取信号をＡ／Ｄ変換することを特徴とする請求項１〜４のいずれかに記載の画像読取装置。
【請求項６】
上記第１画像読取部は、上記第２画像読取部よりも多くの上記受光素子を備えたことを特徴とする請求項１〜５のいずれかに記載の画像読取装置。
【発明の詳細な説明】
【技術分野】
【０００１】
本発明は、原稿の画像を読み取る画像読取装置に関し、詳しくは、搬送経路に沿って搬送される原稿の一方の面の画像を読み取ってその画像に対応するアナログの読取信号を出力する第１画像読取部と、上記搬送経路に沿って搬送される上記原稿の他方の面の画像を読み取ってその画像に対応するアナログの読取信号を出力する第２画像読取部とを備えた画像読取装置に関する。
【背景技術】
【０００２】
従来より、スキャナ，複写機，ファクシミリ装置等の機器には、原稿の画像を読み取る画像読取装置が適用されている。この種の画像読取装置で原稿の表裏両面の画像を読み取る構成としては、原稿の搬送経路を工夫して原稿を反転させることによって１つの画像読取部により表裏両面の画像を読み取る構成も提案されているが、近年、２つの画像読取部により表裏両面の画像を同時に読み取る構成も提案されている。
【０００３】
例えば、搬送経路に沿って搬送される原稿の一方の面の画像を読み取ってその画像に対応するアナログの読取信号を出力する第１画像読取部と、上記搬送経路に沿って搬送される上記原稿の他方の面の画像を読み取ってその画像に対応するアナログの読取信号を出力する第２画像読取部とを備えた画像読取装置では、上記第１画像読取部による上記一方の面の画像読取動作と、上記第２画像読取部による上記他方の面の画像読取動作とを並行して実行でき、読取速度を向上させることができる。また、この種の画像読取装置では、第１画像読取部，第２画像読取部をそれぞれ別個のアナログフロントエンド（ＡＦＥ）に接続して、各画像読取部が出力したアナログの読取信号を個々にデジタル信号に変換している（例えば、特許文献１参照）。
【先行技術文献】
【特許文献】
【０００４】
【特許文献１】特開２００７−２８１７１８号公報
【発明の概要】
【発明が解決しようとする課題】
【０００５】
上記のような第１画像読取部，第２画像読取部としては、主走査方向に複数の受光素子を備え、上記原稿の画像をその受光素子を介して読み取ってその受光素子が順次出力するアナログの読取信号を出力するデバイスが用いられる場合がある。そして、その場合、上記受光素子を複数のチャンネルに対応付けてグループ分けし、各受光素子が順次出力する上記読取信号をチャンネル毎に出力することによって、上記読取信号の出力を早く終了させることが考えられる。
【０００６】
ところが、第１画像読取部と第２画像読取部とでは要求される読取速度が異なる場合があり、例えば、第１画像読取部のチャンネル数が３で、第２画像読取部のチャンネル数が１の場合がある。この場合に、上記特許文献１の構成をそのまま適用すると、第１画像読取部からの読取信号をＡ／Ｄ変換する第１アナログフロントエンド部には第２画像読取部からの読取信号をＡ／Ｄ変換する第２アナログフロントエンド部の３倍の上記読取信号が入力される場合がある。すると、各アナログフロントエンド部におけるＡ／Ｄ変換の速度には限界があるため、第２アナログフロントエンド部は第１アナログフロントエンド部のＡ／Ｄ変換速度に合わせる必要が生じて、十分に機能を発揮できない。
【０００７】
そこで、本発明は、搬送経路に沿って搬送される原稿の一方の面の画像を読み取ってその画像に対応するアナログの読取信号を出力する第１画像読取部と、上記搬送経路に沿って搬送される上記原稿の他方の面の画像を読み取ってその画像に対応するアナログの読取信号を出力する第２画像読取部とを備えた画像読取装置において、各画像読取部からの読取信号をＡ／Ｄ変換するアナログフロントエンド部をバランスよく使用して、読取信号のＡ／Ｄ変換速度を向上させることを目的としてなされた。
【課題を解決するための手段】
【０００８】
上記目的を達するためになされた本発明の画像読取装置は、３つ以上のチャンネルに対応付けられた複数の受光素子を備え、搬送経路に沿って搬送される原稿の一方の面の画像を上記各受光素子を介して読み取ってその受光素子が順次出力するアナログの読取信号を上記チャンネル毎に出力する第１画像読取部と、上記第１画像読取部のチャンネル数よりも２つ以上少ないチャンネルに対応付けられた複数の受光素子を備え、上記搬送経路に沿って搬送される原稿の他方の面の画像を上記各受光素子を介して読み取ってその受光素子が順次出力するアナログの読取信号を上記チャンネル毎に出力する第２画像読取部と、上記各画像読取部から出力された上記読取信号のうち、上記各画像読取部のチャンネル数の平均値若しくはその平均値の端数を切り上げた数のチャンネルからの上記読取信号をＡ／Ｄ変換する第１アナログフロントエンド部と、上記各画像読取部から出力された上記読取信号のうち、上記第１アナログフロントエンド部がＡ／Ｄ変換する残りのチャンネルからの上記読取信号をＡ／Ｄ変換する第２アナログフロントエンド部と、を備えたことを特徴としている。
【０００９】
このように構成された本発明では、第１画像読取部は、３つ以上のチャンネルに対応付けられた複数の受光素子を備え、搬送経路に沿って搬送される原稿の一方の面の画像を上記各受光素子を介して読み取ってその受光素子が順次出力するアナログの読取信号を上記チャンネル毎に出力する。また、第２画像読取部は、上記第１画像読取部のチャンネル数よりも２つ以上少ないチャンネルに対応付けられた複数の受光素子を備え、上記搬送経路に沿って搬送される原稿の他方の面の画像を上記各受光素子を介して読み取ってその受光素子が順次出力するアナログの読取信号を上記チャンネル毎に出力する。
【００１０】
すると、第１アナログフロントエンド部は、上記各画像読取部から出力された上記読取信号のうち、上記各画像読取部のチャンネル数の平均値若しくはその平均値の端数を切り上げた数のチャンネルからの上記読取信号をＡ／Ｄ変換し、第２アナログフロントエンド部は、上記各画像読取部から出力された上記読取信号のうち、上記第１アナログフロントエンド部がＡ／Ｄ変換する残りのチャンネルからの上記読取信号をＡ／Ｄ変換する。
【００１１】
このため、本発明では、上記第１アナログフロントエンド部がＡ／Ｄ変換する上記読取信号のチャンネル数と上記第２アナログフロントエンド部がＡ／Ｄ変換する上記読取信号のチャンネル数との差が１以下となり、上記各アナログフロントエンド部の機能を良好に発揮させて読取信号のＡ／Ｄ変換速度を向上させることができる。
【００１２】
なお、本発明において、１つの上記受光素子から出力される上記読取信号を上記第１アナログフロントエンド部がＡ／Ｄ変換するのに要する時間に、その第１アナログフロントエンド部に入力される上記読取信号のチャンネル数をかけた時間を１画素周期とし、上記各アナログフロントエンド部は、上記１画素周期の間に、各々に入力される各チャンネルの上記読取信号をＡ／Ｄ変換してもよい。
【００１３】
この場合、上記第１アナログフロントエンド部が上記Ａ／Ｄ変換するのに要する時間にその第１アナログフロントエンド部に入力される上記チャンネル数をかけた１画素周期の間に、上記各アナログフロントエンド部の共働によって各チャンネル毎の１つの上記受光素子から出力される上記読取信号をＡ／Ｄ変換し終えることができる。従って、この場合、上記各アナログフロントエンド部の機能を一層良好に発揮させて、読取信号のＡ／Ｄ変換速度を一層向上させることができる。
【００１４】
また、上記原稿の他方の面の画像のみを読み取る片面読取モードが設定可能で、当該片面読取モードの設定時には、上記第１アナログフロントエンド部は、上記第１画像読取部から出力された上記読取信号のうち、上記各画像読取部のチャンネル数の平均値若しくはその平均値の端数を切り上げた数のチャンネルからの上記読取信号をＡ／Ｄ変換し、上記第２アナログフロントエンド部は、上記第１画像読取部から出力された上記読取信号のうち、上記第１アナログフロントエンド部がＡ／Ｄ変換する残りのチャンネルからの上記読取信号をＡ／Ｄ変換してもよい。
【００１５】
この場合、片面読取モードの設定時には、上記第１アナログフロントエンド部は、上記第１画像読取部から出力された上記読取信号のうち、上記各画像読取部のチャンネル数の平均値若しくはその平均値の端数を切り上げた数のチャンネルからの上記読取信号をＡ／Ｄ変換し、上記第２アナログフロントエンド部は、上記第１画像読取部から出力された上記読取信号のうち、上記第１アナログフロントエンド部がＡ／Ｄ変換する残りのチャンネルからの上記読取信号をＡ／Ｄ変換する。従って、片面読取モードの設定時にも、上記第１画像読取部からの上記読取信号に対するＡ／Ｄ変換速度を向上させることができる。
【００１６】
また、更に、原稿が載置される透明な原稿台と、上記原稿台の表面に開閉可能に設けられ、上記原稿台の表面に閉じられることによって上記原稿台に載置された原稿を覆う原稿カバーと、を備え、上記第２画像読取部は、上記原稿カバーに設けられ、上記第１画像読取部は、上記原稿台が固定された基体に設けられ、かつ、上記搬送経路に沿って搬送される上記原稿の上記一方の面の画像を上記基体内で静止しながら読み取る読取動作と、上記原稿台に載置された原稿の片面の画像を上記原稿台に沿って副走査方向に移動しながら読み取る読取動作とを実行可能に構成されていてもよい。
【００１７】
このように、上記第１画像読取部が、原稿台に載置された原稿の片面の画像を上記原稿台に沿って副走査方向に移動しながら読み取る読取動作を実行する場合、その第１画像読取部の上記受光素子を多くのチャンネルに対応付けて上記読取信号の出力を早く終了させる要請が強い。従って、このような場合は、上記第１画像読取部のチャンネル数を上記第２画像読取部のチャンネル数よりも多くする効果が一層顕著に表れる。
【００１８】
また、上記第１画像読取部のチャンネル数は３で、上記第２画像読取部のチャンネル数は１で、上記各アナログフロントエンド部はそれぞれ２つのチャンネルからの上記読取信号をＡ／Ｄ変換してもよい。更に、上記第１画像読取部は、上記第２画像読取部よりも多くの上記受光素子を備えてもよい。
【図面の簡単な説明】
【００１９】
【図１】本発明が適用された画像読取装置の構成を模式的に表す断面図である。
【図２】その画像読取装置の制御系の構成を表すブロック図である。
【図３】その制御系のＡＦＥの構成を詳細に表すブロック図（Ａ）、及び、その動作を表す説明図（Ｂ）である。
【図４】その制御系の一方のＣＩＳの構成を表す模式図（Ａ）、及び、その動作を表す説明図（Ｂ）である。
【図５】その制御系による効果を比較例との対比によって表す説明図である。
【発明を実施するための形態】
【００２０】
［画像読取装置の全体の構成］
次に、本発明の実施の形態を図面と共に説明する。図１は、本発明が適用された画像読取装置１０の構成を模式的に表す断面図である。なお、この画像読取装置１０は、図示省略した画像形成部を内蔵する複合機の基体２０の上部に設けられ、その基体２０の上面には原稿カバー３０が開閉可能に設けられている。
【００２１】
図１に示すように、基体２０の上端面には、画像読取装置１０がフラットベットスキャナとして使用される場合に原稿（図示省略）が載置されるガラス製の透明な原稿台２１が設けられている。そして、原稿カバー３０は、原稿台２１の表面に閉じられることによってその原稿台２１に載置された原稿を覆うように開閉自在に取り付けられている。
【００２２】
また、この原稿カバー３０は、ＡＤＦ（Auto Document Feeder）を備える原稿カバーとして構成され、給紙トレイ１１０に載置された原稿を搬送経路に沿って搬送しＡＤＦとして機能する搬送部１００と、搬送経路を搬送される原稿の表裏面について並行して画像読み取りを行うことが可能な裏面用ＣＩＳ２１０，表面用ＣＩＳ２３０のうちの裏面用ＣＩＳ２１０とを備えている。なお、表面用ＣＩＳ２３０は基体２０に設けられている。
【００２３】
搬送部１００は、給紙トレイ１１０に載置された原稿を、搬送経路（図１の点線）に沿って排紙トレイ１３０まで搬送する搬送ローラ１２１〜１２９を備えている。また、この搬送経路には、上流側読取位置と下流側読取位置とが設けられており、原稿の裏面（他方の面に相当）の画像読み取りを行うための裏面用ＣＩＳ２１０（第２画像読取部の一例）が上流側読取位置に対応して設けられており、更に、上流側読取位置を通過する原稿を裏面用ＣＩＳ２１０の読取面に押圧する裏面用原稿押え２２０が設けられている。また、原稿台２１に設けられた、原稿の表面（一方の面に相当）の画像読み取りのための表面用ＣＩＳ２３０（第１画像読取部の一例）が下流側読取位置に対応する位置に移動可能に構成されており、下流側読取位置を通過する原稿を表面用ＣＩＳ２３０の読取面に押圧する表面用原稿押え２４０が設けられている。
【００２４】
更に、この搬送経路上には、対応する位置を搬送中の原稿の有無を検知するための原稿センサとして、Ｆセンサ３１０，ＲＢセンサ３２０，Ｒセンサ３３０が設けられている。また、表面用ＣＩＳ２３０は、モータ３５１によって回転駆動される駆動プーリ３５３と従動プーリ３５５との間に架設された無端ベルト３５７に固定されており、モータ３５１の回転に応じて原稿台２１の下方を副走査方向（左右方向）に移動可能である。
【００２５】
［画像読取装置の制御系の構成］
次に、図２は、画像読取装置１０の制御系の構成を表すブロック図である。図２に示すように、表面用ＣＩＳ２３０は、表面用ＳＰ信号（ＳＰ＿ＦＳ）が入力されたとき、表面用ＣＬＫ信号（ＣＬＫ＿ＦＳ）に同期して、主走査方向の１ライン分の画像に対応するアナログの読取信号ＡＯ１＿ＦＳ，ＡＯ２＿ＦＳ，ＡＯ３＿ＦＳを、３つの端子ＡＯ１，ＡＯ２，ＡＯ３から出力する３チャンネルのＣＩＳである。一方、裏面用ＣＩＳ２１０は、裏面用ＳＰ信号（ＳＰ＿ＢＳ）が入力されたとき、裏面用ＣＬＫ信号（ＣＬＫ＿ＢＳ）に同期して、主走査方向１ライン分の画像に対応するアナログの読取信号ＡＯ＿ＢＳを、１つの端子ＡＯから出力する１チャンネルのＣＩＳである。なお、表面用ＣＩＳ２３０の構成については後に詳述する。
【００２６】
表面用ＣＩＳ２３０から出力された読取信号ＡＯ１＿ＦＳ，ＡＯ２＿ＦＳは、第１アナログフロントエンド部の一例としての第１ＡＦＥ３８０の端子ＡＩ１＿１，ＡＩ１＿２に、それぞれ入力されている。また、表面用ＣＩＳ２３０から出力された読取信号ＡＯ３＿ＦＳは、第２アナログフロントエンド部の一例としての第２ＡＦＥ３９０の端子ＡＩ２＿１に入力され、裏面用ＣＩＳ２１０から出力された読取信号ＡＯ＿ＢＳはその第２ＡＦＥ３９０の端子ＡＩ２＿２に入力されている。
【００２７】
ＡＦＥ３８０，３９０は、次のように構成されて、端子ＡＩ１＿１，ＡＩ１＿２またはＡＩ２＿１，ＡＩ２＿２に入力された２チャンネルの読取信号を、順次デジタル信号ＤＯ＿１またはＤＯ＿２に変換して出力する。図３（Ａ）は、第１ＡＦＥ３８０の構成を詳細に表すブロック図である。なお、第２ＡＦＥ３９０も同様に構成されている。
【００２８】
図３（Ａ）に示すように、第１ＡＦＥ３８０は、端子ＡＩ１＿１，ＡＩ１＿２に対して個々に設けられた２つのサンプルホールド回路（Ｓ／Ｈ）３８１，プログラマブルゲインアンプ（ＰＧＡ）３８３と、各端子ＡＩ１＿１，ＡＩ１＿２に対して共通に設けられたマルチプレクサ（ＭＵＸ）３８５，ＡＤ変換器（ＡＤＣ）３８７，出力制御部３８９とを備えている。各端子ＡＩ１＿１，ＡＩ１＿２に入力される読取信号は、ＣＩＳ２３０に内蔵されたアンプで増幅される影響などにより、図３（Ｂ）にＡＩ１＿１，ＡＩ１＿２，ＡＩ２＿１，ＡＩ２＿２として例示するように一定の時定数をもって遅延された波状の波形を呈する。そこで、２つのサンプルホールド回路３８１は、その波形の頂点近傍で各画素からの受光量を最も良好に表す値が取得できるタイミングで端子ＶＳＭＰに入力される第１サンプリングタイミング信号（図２に示す第１ＡＦＥ用ＶＳＭＰ）に同期して、各端子ＡＩ１＿１，ＡＩ１＿２に入力される読取信号の値（アナログ値）を個々に取得する。
【００２９】
こうして取得されたアナログ値は、ぞれぞれプログラマブルゲインアンプ３８３を介してマルチプレクサ３８５に入力され、ＡＤ変換器３８７に順次入力される。すると、ＡＤ変換器３８７は、各端子ＡＩ１＿１，ＡＩ１＿２からの入力に応じて取得された上記各アナログ値を端子ＭＣＬＫに入力される第１ＡＤ変換メインクロック信号（図２に示す第１ＡＦＥ用ＭＣＬＫ）に同期してデジタル値に変換し、出力制御部３８９を介してデジタル信号ＤＯ＿１として出力する。第２ＡＦＥ３９０も同様に、各端子ＡＩ２＿１，ＡＩ２＿２に入力される読取信号のアナログ値を第２サンプリングタイミング信号（第２ＡＦＥ用ＶＳＭＰ（図２参照））に同期して個々に取得し、第２ＡＤ変換メインクロック信号（第２ＡＦＥ用ＭＣＬＫ（図２参照））に同期してデジタル値に変換して、デジタル信号ＤＯ＿２として出力する。
【００３０】
ここで、第１サンプリングタイミング信号（第１ＡＦＥ用ＶＳＭＰ）と第２サンプリングタイミング信号（第２ＡＦＥ用ＶＳＭＰ）とが同様のサンプリングタイミング信号ＶＳＭＰで、第１ＡＤ変換メインクロック信号（第１ＡＦＥ用ＭＣＬＫ）と第２ＡＤ変換メインクロック信号（第２ＡＦＥ用ＭＣＬＫ）とが同様のＡＤ変換メインクロック信号ＭＣＬＫであった場合のデジタル信号ＤＯ＿１，ＤＯ＿２を、図３（Ｂ）に例示する。図３（Ｂ）に例示するように、各端子ＡＩ１＿１，ＡＩ１＿２，ＡＩ２＿１，ＡＩ２＿２に同様のタイミングで読取信号が入力され、同様のサンプリングタイミング信号ＶＳＭＰにより同時に上記アナログ値が取得されても、端子ＡＩ１＿１，ＡＩ１＿２への入力に対応するデジタル値はデジタル信号ＤＯ＿１としてＡＤ変換メインクロック信号ＭＣＬＫに同期して順次出力される。また、端子ＡＩ２＿１，ＡＩ２＿２への入力に対応するデジタル値も、デジタル信号ＤＯ＿２としてＡＤ変換メインクロック信号ＭＣＬＫに同期して順次出力される。
【００３１】
また、表面用ＣＩＳ２３０は、図４（Ａ）に模式的に示すように、１ライン分の画素（例えば５１２０画素）に対応する個数の受光素子を、チャンネルｃｈ１〜ｃｈ３からなる３つのチャンネルに分割して有している。そして、表面用ＣＩＳ２３０に一体に設けられた光源（図示省略）が光を照射している間に受光した原稿からの反射光に応じた電荷を各受光素子が蓄積し、表面用ＳＰ信号（ＳＰ＿ＦＳ）が入力されると、当該蓄積された電荷が周知のシフトレジスタ（図示省略）に落とされる。
【００３２】
すると、図４（Ｂ）に示すように、シフトレジスタは各画素に対応する電荷を順次出力し、その電荷がアンプ等を介してチャンネルｃｈ１，ｃｈ２，ｃｈ３毎に読取信号ＡＯ１＿ＦＳ，ＡＯ２＿ＦＳ，ＡＯ３＿ＦＳとして出力される。このため、例えば第１〜１６００画素に対応する読取信号ＡＯ１＿ＦＳは、第１画素に対応する信号から順次出力され、例えば第１６０１〜３３９２画素に対応する読取信号ＡＯ２＿ＦＳは、第１６０１画素に対応する信号から順次出力され、例えば第３３９３〜５１２０画素に対応する読取信号ＡＯ３＿ＦＳは、第３３９３画素に対応する信号から順次出力される。
【００３３】
図２に戻って、ＡＳＩＣ４００は、原稿の裏面に関する信号を処理する裏面用デジタル信号処理部４０１と、原稿の表面に関する信号を処理する表面用デジタル信号処理部４０３とを備えている。第１ＡＦＥ３８０から出力されたデジタル信号ＤＯ＿１は、ＡＳＩＣ４００に設けられた表面用デジタル信号処理部４０３に入力される。また、第２ＡＦＥ３９０から出力されたデジタル信号ＤＯ＿２は、切換回路４０４を介して、表面用デジタル信号処理部４０３または裏面用デジタル信号処理部４０１に次のように入力される。
【００３４】
すなわち、ＡＳＩＣ４００は、前述の表面用ＳＰ信号，表面用ＣＬＫ信号，裏面用ＳＰ信号，裏面用ＣＬＫ信号，第１ＡＤ変換メインクロック信号（第１ＡＦＥ用ＭＣＬＫ），第１サンプリングタイミング信号（第１ＡＦＥ用ＶＳＭＰ），第２ＡＤ変換メインクロック信号（第２ＡＦＥ用ＭＣＬＫ），第２サンプリングタイミング信号（第２ＡＦＥ用ＶＳＭＰ）を出力するタイミング生成回路４０５を、更に備えている。切換回路４０４は、タイミング生成回路４０５の上記各信号の出力状態をそのタイミング生成回路４０５から入力されることにより、デジタル信号ＤＯ＿２のうち、表面に関する信号は表面用デジタル信号処理部４０３に、裏面に関する信号は裏面用デジタル信号処理部４０１に、それぞれ入力する。
【００３５】
［その制御系における制御］
このように、本実施の形態では、読取信号ＡＯ１＿ＦＳ，ＡＯ２＿ＦＳを第１ＡＦＥ３８０によってＡ／Ｄ変換してデジタル信号ＤＯ＿１として出力し、読取信号ＡＯ３＿ＦＳ，ＡＯ＿ＢＳを第２ＡＦＥ３９０によってＡ／Ｄ変換してデジタル信号ＤＯ＿１として出力することができる。このため、次のように読取信号のＡ／Ｄ変換速度を向上させることができる。
【００３６】
図５（Ａ）は、本実施の形態の効果を表すための比較例の信号出力状態を表す説明図である。なお、この比較例は、表面用ＣＩＳ２３０が出力する３チャンネルの読取信号ＡＯ１＿ＦＳ，ＡＯ２＿ＦＳ，ＡＯ３＿ＦＳを、前述のサンプルホールド回路３８１，プログラマブルゲインアンプ３８３を３組備えた３チャンネルの第１ＡＦＥ（図示省略）でデジタル信号（第１ＡＦＥ出力値）に変換し、裏面用ＣＩＳ２１０が出力する１チャンネルの読取信号ＡＯ＿ＢＳを、前述のサンプルホールド回路３８１，プログラマブルゲインアンプ３８３を１組備えた１チャンネルの第２ＡＦＥ（図示省略）でデジタル信号（第２ＡＦＥ出力値）に変換した場合を想定している。
【００３７】
この場合、第２ＡＦＥが読取信号ＡＯ＿ＢＳに対応するデジタル信号の１画素分（１ｃｈＣＩＳＮ＿画素目）を出力し終えても、第１ＡＦＥが読取信号ＡＯ１＿ＦＳ，ＡＯ２＿ＦＳ，ＡＯ３＿ＦＳに対応するデジタル信号の１画素分（１ｃｈ目＿Ｎ画素目，２ｃｈ目＿Ｎ画素目，３ｃｈ目＿Ｎ画素目）を出力し終えるまで、第２ＡＦＥは待機しなければならない。このため、各チャンネルからの読取信号ＡＯ１＿ＦＳ，ＡＯ２＿ＦＳ，ＡＯ３＿ＦＳ，ＡＯ＿ＢＳを１画素分Ａ／Ｄ変換するのに要する１画素周期Ｔは、図５（Ａ）に示すように長くなってしまう。
【００３８】
これに対して、本実施の形態では、読取信号ＡＯ１＿ＦＳ，ＡＯ２＿ＦＳを第１ＡＦＥ３８０によってＡ／Ｄ変換してデジタル信号ＤＯ＿１として出力し、読取信号ＡＯ３＿ＦＳ，ＡＯ＿ＢＳを第２ＡＦＥ３９０によってＡ／Ｄ変換してデジタル信号ＤＯ＿２として出力することができる。このため、図５（Ｂ）に示すように、第１ＡＦＥ３８０が読取信号ＡＯ１＿ＦＳ，ＡＯ２＿ＦＳに対応するデジタル信号の１画素分（１ｃｈ目＿Ｎ画素目，２ｃｈ目＿Ｎ画素目）を出力し終えるまでの時間と、第２ＡＦＥ３９０が読取信号ＡＯ３＿ＦＳ，ＡＯ＿ＢＳに対応するデジタル信号の１画素分（３ｃｈ目＿Ｎ画素目，１ｃｈＣＩＳ＿Ｎ画素目）を出力し終えるまでの時間とはほぼ同じになり、上記１画素周期Ｔの約２／３となる。
【００３９】
すなわち、本実施の形態では、画像読取装置１０は、上記読取信号ＡＯ１＿ＦＳ，ＡＯ２＿ＦＳ，ＡＯ３＿ＦＳ，ＡＯ＿ＢＳのＡ／Ｄ変換速度を向上させ、上記比較例に比べて１画素周期を約２／３とすることができる。従って、本実施の形態では、表面用デジタル信号処理部４０３，裏面用デジタル信号処理部４０１等における処理に使用されるクロックＣＩＳ＿ＣＬＫの周期も約２／３とすることができ、放射ノイズを減少させつつ迅速な読取動作が実行可能となる。
【００４０】
また、本実施の形態では、搬送部１００によって原稿を搬送しながら表面用ＣＩＳ２３０を介して原稿の表面のみの画像を読み取る場合、若しくは、モータ３５１により表面用ＣＩＳ２３０を上記副走査方向に移動させながら原稿の片面の画像を読み取る場合は、次のような制御がなされる。なお、このようないわゆる片面読取モードは、図示省略した操作パネル及びＦセンサ３１０の検出状態に基づいて設定される。この場合、図３（Ｂ）にＡＩ２＿２として示したデータ、及び、図５（Ｂ）に１ｃｈＣＩＳ＿Ｎ画素目等として示したデータがなくなる。この場合も、図５（Ａ）における第１ＡＦＥ出力との比較から分かるように、１画素周期を約２／３として迅速な読取動作が実行可能となる。
【００４１】
なお、３チャンネルの表面用ＣＩＳ２３０の画素数（受光素子の数）と１チャンネルの裏面用ＣＩＳ２１０の画素数とが同じである場合、読取信号ＡＯ＿ＢＳに対応する画素数は読取信号ＡＯ１＿ＦＳ，ＡＯ２＿ＦＳ，ＡＯ３＿ＦＳに対応する画素数の約３倍となる。このため、読取信号ＡＯ＿ＢＳの全画素に対するＡ／Ｄ変換が終了するまでに、読取信号ＡＯ１＿ＦＳ，ＡＯ２＿ＦＳ，ＡＯ３＿ＦＳの全画素に対するＡ／Ｄ変換が終了するが、終了後は、それらに対するデジタル信号（１ｃｈ目＿Ｎ画素目，２ｃｈ目＿Ｎ画素目，３ｃｈ目＿Ｎ画素目等）としてＮＵＬデータが出力される。
【００４２】
また、表面用ＣＩＳ２３０の画素数の方が多くてもよい。前述のように表面用ＣＩＳ２３０は、下流側読取位置に対応する位置で静止しながら原稿の表面の画像を読み取る読取動作（ＡＤＦ読取）と、原稿台２１の下方を副走査方向に移動しながら原稿の片面の画像を読み取る読取動作（ＦＢ読取）とを実行可能である。そして、ＦＢ読取はＡＤＦ読取に比べて、大きな原稿に対する読取動作が可能であったり、高精度に画像を読み取ることが可能であったりする。そこで、表面用ＣＩＳ２３０の画素数の方が多い場合、そのようなＦＢ読取の特性を一層良好に発揮することができる。
【００４３】
なお、本発明は上記実施の形態に何等限定されるものではなく、本発明の要旨を逸脱しない範囲で種々の形態で実施することができる。例えば、第１画像読取部，第２画像読取部のチャンネル数は上記以外にも種々考えられ、第１画像読取部が６チャンネルで第２画像読取部が４チャンネルであってもよい。そして、その場合、第１画像読取部の読取信号が３チャンネルずつ各アナログフロントエンド部に入力され、第２画像読取部の読取信号が２チャンネルずつ各アナログフロントエンド部に入力されてもよい。
【符号の説明】
【００４４】
１０…画像読取装置      ２１…原稿台            ３０…原稿カバー
１００…搬送部          ３５１…モータ          ３８０…第１ＡＦＥ
３９０…第２ＡＦＥ                      ３８１…サンプルホールド回路
３８３…プログラマブルゲインアンプ      ３８５…マルチプレクサ
３８７…ＡＤ変換器      ３８９…出力制御部      ４００…ＡＳＩＣ
４０１…裏面用デジタル信号処理部        ４０３…表面用デジタル信号処理部
４０４…切換回路                        ４０５…タイミング生成回路
【図１】
2011217017.tif 000003
【図２】
2011217017.tif 000004
【図３】
2011217017.tif 000005
【図４】
2011217017.tif 000006
【図５】
2011217017.tif 000007